(57)【要約】【課題】本発明は、ケーブルを束ね且つケーブルの位置を低くするようにケーブルを湾曲させるケーブル湾曲装置を提供することを目的とする。【解決手段】本発明に係るケーブル湾曲装置は、コネクタに着脱可能に装着される固定部と、前記固定部に回転可能に装着される加圧部と、を備える。前記加圧部は前記コネクタの一側に向けて回転され、ケーブルを前記コネクタの前記一側に向けて湾曲させる。【選択図】図３
2015005510.tif 000002
【特許請求の範囲】
【請求項１】
コネクタに着脱可能に装着される固定部品と、
前記固定部品に回転可能に装着される加圧部と、
を備え、コネクタの上方から延出するケーブルを湾曲させるケーブル湾曲装置であって、
前記加圧部は前記コネクタの一側に向けて回転され、ケーブルを前記コネクタの前記一側に向けて湾曲させることを特徴とするケーブル湾曲装置。
【請求項２】
前記固定部品は、連接板と、前記連接板の両端からそれぞれ延伸する端部と、を備え、前記端部の末端からは互いに向けて延伸する当止部がそれぞれ延出し、前記コネクタは前記固定部品内に収容されることを特徴とする請求項１に記載のケーブル湾曲装置。
【請求項３】
前記コネクタには、バーが突設され、前記連接板の内側には前記バーを収容するスロットが設けられていることを特徴とする請求項２に記載のケーブル湾曲装置。
【請求項４】
前記加圧部は、前記ケーブルを押圧する板体と、前記板体の両側からそれぞれ垂直に延伸する２つの延伸部と、を備え、前記延伸部の内側には、前記固定部品の前記端部にそれぞれ回転可能に挿入されるピンが突設されていることを特徴とする請求項２又は３に記載のケーブル湾曲装置。
【請求項５】
前記各端部の外側には突起部が突出され、前記加圧部が回転されると、前記延伸部は対応する突起部と係合し、前記延伸部と対応する突起部との間に生じる摩擦力によって前記加圧部を定位し、前記ケーブルの湾曲状態を維持することを特徴とする請求項４に記載のケーブル湾曲装置。
【発明の詳細な説明】
【技術分野】
【０００１】
本発明は、ケーブル湾曲装置に関するものである。
【背景技術】
【０００２】
従来の技術において、コネクタの上部から延出するケーブルは上方へ延伸し且つ広がるため、サーバ内の空間を占有している。ケーブルがサーバ外まで延出している場合、サーバに上カバーを装着して、この上カバーを押圧することでケーブルをサーバ内に収容できるが、この際、ケーブルがサーバ内の電子部品と干渉する可能性がある。また、上カバーを開くと、ケーブルは自身の弾性力によって再び上方へ延伸し且つ広がり、サーバ内の電子部品の着脱や点検に邪魔となるため、不便である。
【発明の概要】
【発明が解決しようとする課題】
【０００３】
本発明の目的は、前記問題を解決し、ケーブルを束ね且つケーブルの位置を低くするようにケーブルを湾曲させるケーブル湾曲装置を提供することである。
【課題を解決するための手段】
【０００４】
上記目的を達成するために、本発明に係るケーブル湾曲装置は、コネクタに着脱可能に装着される固定部品と、前記固定部品に回転可能に装着される加圧部と、を備える。前記加圧部は前記コネクタの一側に向けて回転され、ケーブルを前記コネクタの前記一側に向けて湾曲させる。
【発明の効果】
【０００５】
本発明に係るケーブル湾曲装置は、加圧部によってケーブルを束ね且つケーブルの位置を低くするように湾曲させることができるため、容易にサーバ内の電子部品の着脱や点検を行うことができる。
【図面の簡単な説明】
【０００６】
【図１】本発明の実施形態に係るケーブル湾曲装置の回路基板、コネクタの分解斜視図である。
【図２】図１に示すケーブル湾曲装置の固定部品の拡大図である。
【図３】図１に示すケーブル湾曲装置の組立斜視図である。
【発明を実施するための形態】
【０００７】
図１に示したように、本発明の実施形態に係るケーブル湾曲装置は、回路基板５０に接続されるコネクタ１０の上部から延出するケーブル１００を、その位置を低くするように湾曲させる際に使用され、加圧部２０及び固定部品３０を備える。
【０００８】
回路基板５０には、コネクタ１０に接続されるソケット４０が設置されている。ソケット４０の両側には、突出部４３がそれぞれ突出している。各突出部４３の上面は、ソケット４０と離れるように且つ下方へ延伸する斜面である。
【０００９】
コネクタ１０は、２つの端面１２と、第一側面１４と、第二側面１６と、を備える。第一側面１４及び第二側面１６には、突出部４３に対応するフック部１４２がそれぞれ設置されている。第一側面１４及び第二側面１６の上端からは、コネクタ１０の長さ方向に沿って延伸するバー１４４がそれぞれ突出されている。
【００１０】
加圧部２０は、板体２２と、板体２２の両端からそれぞれ垂直に延伸する２つの延伸部２４と、を備える。各延伸部２４の内側にはピン２４２が突出されている。
【００１１】
図２に示したように、固定部品３０は、連接板３２と、連接板３２の両端からそれぞれ垂直に延伸する二つの端部３４と、を備える。連接板３２の内側には、端部３４に対して垂直に延伸するスロット３２０が設けられている。連接板３２には、連接板３２の両側（端部３４が突出する側及びその反対側）及び下部を貫通する開口３２２が設けられている。端部３４の連接板３２と離れる端には、互いに向けて延伸する二つの当止部３４０がそれぞれ設置されている。各端部３４の上部には貫通孔３４２がそれぞれ設けられている。また、各端部３４の外側において、連接板３２と隣接する貫通孔３４２との間には、突起部３４４が突出している。
【００１２】
図３に示したように、ケーブル湾曲装置を組み立てる際、延伸部２４を互いに対して離れるように弾性変形させた後、ピン２４２を貫通孔３４２内に回転可能に挿入して、加圧部２０を固定部品３０に回転可能に装着する。
【００１３】
次に、ケーブル１００をコネクタ１０の第二側面１６に向けて湾曲させ、連接板３２がコネクタ１０の第二側面１６に当接するように、固定部品３０をコネクタ１０に装着する。この時、端部３４は端面１２にそれぞれ当接され、当止部３４０はコネクタ１０の第一側面１４に当接され、第二側面１６の上端に設置されているバー１４４は、スロット３２０内に係合される。また、第二側面１６に設置されているフック部１４２は、開口３２２内に収容される。次いで、ケーブル１００に向けて加圧部２０を回転させて、板体２２によってケーブル１００を押圧し、ケーブル１００を湾曲させる。この際、延伸部２４は対応する突起部３４４と係合し、延伸部２４と対応する突起部３４４との間に生じる摩擦力によって加圧部２０を定位し、ケーブル１００の湾曲状態を維持する。
【００１４】
他の実施形態において、連接板３２がコネクタ１０の第一側面１４に当接するように、固定部品３０をコネクタ１０に装着し、ケーブル１００をコネクタ１０の第一側面１４に湾曲させることも可能である。この時、第一側面１４に設置されたバー１４４はスロット３２０内に係合される。
【符号の説明】
【００１５】
１０  コネクタ
１００  ケーブル
１２  端面
１４  第一側面
１４２  フック部
１６  第二側面
２０  加圧部
２２  板体
２４  延伸部
２４２  ピン
３０  固定部品
３２  連接板
３２０  スロット
３２２  開口
３４  端部
３４０  当止部
３４２  貫通孔
３４４  突起部
４０  ソケット
５０  回路基板
【図１】
2015005510.tif 000003
【図２】
2015005510.tif 000004
【図３】
2015005510.tif 000005